(57)【特許請求の範囲】
【請求項１】
１つ以上の情報コンテンツ配信サーバおよび１つ以上のディスプレイ装置からなる情報表示システムであって、
前記情報コンテンツ配信サーバは、各ディスプレイ装置で管理されているローカル時刻に関する情報を取得し、取得した情報に基づいて、各ディスプレイ装置が所望のタイミングでコンテンツの表示を開始するように、コンテンツの表示開始日時をディスプレイ装置ごとに決定し、
前記ディスプレイ装置は、前記情報コンテンツ配信サーバにより決定された表示開始日時に従って、当該表示開始日時に対応付けられたコンテンツを表示する
ことを特徴とする情報表示システム。
【請求項２】
前記情報コンテンツ配信サーバは、
各ディスプレイ装置で管理されているローカル時刻に関する情報を取得する情報収集手段と、
前記情報収集手段により取得された情報および外部からの指示内容に基づいて、コンテンツの表示開始日時および表示継続時間を含んだ表示スケジュールを決定するスケジュール決定手段と、
前記スケジュール決定手段により決定された表示スケジュール、およびこれに従って表示させるコンテンツをディスプレイ装置へ配信するコンテンツ配信手段と、
を備えることを特徴とする請求項１に記載の情報表示システム。
【請求項３】
前記情報収集手段は、前記ローカル時刻に関する情報に基づいて、自装置と時刻同期が取れた状態のディスプレイ装置を特定し、
前記スケジュール決定手段は、あるコンテンツの表示開始日時を決定する際、当該コンテンツを表示させる各ディスプレイ装置における表示開始日時のうち、自装置と時刻同期が取れた状態のディスプレイ装置における表示開始日時を同一日時に決定する
ことを特徴とする請求項２に記載の情報表示システム。
【請求項４】
前記スケジュール決定手段は、あるコンテンツの表示開始日時を決定する際、当該コンテンツを表示させるディスプレイ装置における表示開始日時のうち、自装置と時刻同期が取れていない状態のディスプレイ装置における表示開始日時については、自装置で管理している時刻である基準時刻と当該ディスプレイ装置で管理されているローカル時刻の差分に基づいて、自装置と時刻同期が取れている場合と同じタイミングでコンテンツ表示が開始されるように決定する
ことを特徴とする請求項３に記載の情報表示システム。
【請求項５】
前記スケジュール決定手段は、ディスプレイ装置との間の信号伝送遅延時間を考慮して、自装置と時刻同期が取れていない状態のディスプレイ装置におけるコンテンツの表示開始日時を決定する
ことを特徴とする請求項４に記載の情報表示システム。
【請求項６】
前記ディスプレイ装置は、
前記コンテンツ配信手段から配信されたコンテンツおよびその表示スケジュールを受信した場合、当該コンテンツの表示予定期間がそれ以前に配信されたコンテンツの表示予定期間と重複しているかどうか確認する
ことを特徴とする請求項２〜５のいずれか一つに記載の情報表示システム。
【請求項７】
前記ディスプレイ装置は、
コンテンツの表示予定期間の重複を検出した場合、
重複している表示予定期間でのコンテンツ表示を指示した情報コンテンツ配信サーバに対して検出内容を通知する
ことを特徴とする請求項６に記載の情報表示システム。
【請求項８】
前記情報コンテンツ配信サーバは、
各ディスプレイ装置で管理されているローカル時刻に関する情報を取得し、当該取得した情報に基づいて、自装置で管理している時刻である基準時刻と当該情報の取得元のディスプレイ装置で管理されているローカル時刻の差分を算出する情報収集手段と、
外部からの指示内容に基づいて、各ディスプレイ装置におけるコンテンツの表示開始日時を決定し、さらに、前記情報収集手段により算出された差分に基づいて、当該決定した表示開始日時となった時点における、基準時刻とコンテンツを表示させるディスプレイ装置で管理されているローカル時刻の差分である推定差分を算出するスケジュール決定手段と、
前記スケジュール決定手段で生成された情報である表示開始日時と推定差分、および対応するコンテンツをディスプレイ装置へ配信するコンテンツ配信手段と、
を備え、
前記ディスプレイ装置は、
前記コンテンツ配信手段から配信された表示開始日時、推定差分およびコンテンツを取得した場合、当該表示開始日時および当該推定差分に基づいて、当該コンテンツの表示を開始するローカル日時を決定する
ことを特徴とする請求項１に記載の情報表示システム。
【請求項９】
前記情報収集手段は、各ディスプレイ装置で管理されているローカル時刻に関する情報を定期的に取得する
ことを特徴とする請求項２〜８のいずれか一つに記載の情報表示システム。
【請求項１０】
１つ以上のディスプレイ装置に対してコンテンツを配信し、表示させる情報コンテンツ配信サーバであって、
コンテンツを表示させる各ディスプレイ装置で管理されているローカル時刻に関する情報を取得する情報収集手段と、
前記情報収集手段により取得された情報および外部からの指示内容に基づいて、各ディスプレイ装置が所望のタイミングでコンテンツの表示を開始するように、コンテンツの表示開始日時をディスプレイ装置ごとに決定するスケジュール決定手段と、
前記スケジュール決定手段により決定された表示開始日時、およびこれに従って表示させるコンテンツをディスプレイ装置へ配信するコンテンツ配信手段と、
を備えることを特徴とする情報コンテンツ配信サーバ。
【請求項１１】
前記情報収集手段は、前記ローカル時刻に関する情報に基づいて、自装置と時刻同期が取れた状態のディスプレイ装置を特定し、
前記スケジュール決定手段は、あるコンテンツの表示開始日時を決定する際、当該コンテンツを表示させる各ディスプレイ装置における表示開始日時のうち、自装置と時刻同期が取れた状態のディスプレイ装置における表示開始日時を同一日時に決定する
ことを特徴とする請求項１０に記載の情報コンテンツ配信サーバ。
【請求項１２】
前記スケジュール決定手段は、あるコンテンツの表示開始日時を決定する際、当該コンテンツを表示させるディスプレイ装置における表示開始日時のうち、自装置と時刻同期が取れていない状態のディスプレイ装置における表示開始日時については、自装置で管理している時刻である基準時刻と当該ディスプレイ装置で管理されているローカル時刻の差分に基づいて、自装置と時刻同期が取れている場合と同じタイミングでコンテンツ表示が開始されるように決定する
ことを特徴とする請求項１１に記載の情報コンテンツ配信サーバ。
【請求項１３】
前記スケジュール決定手段は、ディスプレイ装置との間の信号伝送遅延時間を考慮して、自装置と時刻同期が取れていない状態のディスプレイ装置におけるコンテンツの表示開始日時を決定する
ことを特徴とする請求項１２に記載の情報コンテンツ配信サーバ。
【請求項１４】
情報コンテンツ配信サーバから配信されるコンテンツおよびその表示スケジュールを取得し、取得した表示スケジュールに従ってコンテンツを表示するディスプレイ装置であって、
前記表示スケジュールにコンテンツ表示の開始日時、および情報コンテンツ配信サーバで管理されているローカル時刻と自装置で管理しているローカル時刻の差分の情報が含まれている場合、当該開始日時および当該差分情報に基づいて、コンテンツ表示を開始するローカル日時を決定する
ことを特徴とするディスプレイ装置。
【請求項１５】
コンテンツおよびその表示スケジュールを取得した場合、当該コンテンツの表示予定期間がそれ以前に取得したコンテンツの表示予定期間と重複しているかどうか確認し、重複を検出した場合、重複している表示予定期間でのコンテンツ表示を指示した情報コンテンツ配信サーバに対して検出内容を通知する
ことを特徴とする請求項１４に記載のディスプレイ装置。
【発明の詳細な説明】
【技術分野】
【０００１】
本発明は、商品広告や案内、ニュース報道、情報配信、宣伝等のように、街中や公共機関など不特定多数の人々の往来が期待される所で、効果的に情報表示を行うための情報表示システムに関する。
【背景技術】
【０００２】
不特定多数の人々を対象として情報表示を行う方法として、看板やポスター、掲示板、陳列棚、チラシやパンフレットの配布などの手法が取られていた。しかし、印刷物や展示物など実体を伴う場合には、内容の変更を短時間で実施する事が困難であった。
【０００３】
これを解決するために、放送等で用いられている広告手法を取り、街中の看板やポスター、掲示板をディスプレイとして表示する事が提案されている（たとえば、特許文献１，特許文献２）。
【０００４】
また、表示される広告等のコンテンツの編集から、表示までの時間を短縮するために、配信側及び表示側に通信機能を持たせる事も提案されている（たとえば、特許文献３）。
【０００５】
特許文献３で開示されている情報提示システムにおいては、コンテンツプロバイダは、広域ネットワーク網を通じて画像生成用端末と通信を行い、表示装置に表示する内容を更新する。このシステムの利用形態としては以下のようなものが考えられる。
【０００６】
例えば、ディスプレイである大型映像装置が街中のビルに１台ずつ計３台設置されている場合に、ビル＃１の映像装置では、飲料水の宣伝広告を、ビル＃２では海外旅行の宣伝広告を、ビル＃３では新しい音楽の宣伝広告を表示する。
【０００７】
また、特許文献４には、コンテンツの映像と音声を再生するオーディオビデオシステムが記載されている。このシステムは、映像表示させるモニタを無線通信等で切り離して行うことにしているが、このように構成した場合、通信及び画像処理にかかる遅延時間を考慮して再生を行わないと映像と音声が同期しないため、視聴するユーザに違和感を生じさせる事のないように、音声と映像とを時刻同期させている。
【先行技術文献】
【特許文献】
【０００８】
【特許文献１】特開平５−３４１７２３号公報
【特許文献２】特開平７−０３６３９９号公報
【特許文献３】特開平１０−１４３１０４号公報
【特許文献４】特許第４１８２４３７号公報
【発明の概要】
【発明が解決しようとする課題】
【０００９】
ディスプレイ装置を利用して情報表示を行う場合、複数のディスプレイでコンテンツを独立に表示させるだけでなく、広告効果を高める目的で、複数のディスプレイが連携して表示を行い、ある一つのテーマについての情報を視聴者に提供するような利用形態も考えられる。
【００１０】
たとえば、複数のディスプレイに同時に同じコンテンツを再生させる場合や、近隣の複数のディスプレイを利用してあたかも１つの大きなディスプレイのように再生させる場合が考えられる。
【００１１】
このような場合に、ディスプレイ間で再生タイミングが同期していないと視聴するユーザに違和感を生じさせる事が想定される。具体例として、各装置の原振クロック間に１００ｐｐｍの周波数偏差がある場合、ある特定の時刻に時刻同期を取った場合であっても、２４時間後には、８．６秒のずれとなって現れてしまう。特許文献４には音声と映像のずれに関して記載されており、０．５秒のずれは違和感を与えるとあることから、８．６秒のずれは、耐えられない誤差となる事が容易に推測される。
【００１２】
本発明は、上記に鑑みてなされたものであって、複数のディスプレイを使用した情報コンテンツ配信の時刻同期制御を実現し、効果的かつ視聴者に違和感を与えることのない情報配信を可能とする情報表示システム、情報コンテンツ配信サーバおよびディスプレイ装置を得ることを目的とする。
【課題を解決するための手段】
【００１３】
上述した課題を解決し、目的を達成するために、本発明は、１つ以上の情報コンテンツ配信サーバおよび１つ以上のディスプレイ装置からなる情報表示システムであって、前記情報コンテンツ配信サーバは、各ディスプレイ装置で管理されているローカル時刻に関する情報を取得し、取得した情報に基づいて、各ディスプレイ装置が所望のタイミングでコンテンツの表示を開始するように、コンテンツの表示開始日時をディスプレイ装置ごとに決定し、前記ディスプレイ装置は、前記情報コンテンツ配信サーバにより決定された表示開始日時に従って、当該表示開始日時に対応付けられたコンテンツを表示することを特徴とする。
【発明の効果】
【００１４】
本発明によれば、装置間で情報コンテンツ配信の時刻同期が実現でき、効果的な情報配信が可能となる、という効果を奏する。また、視聴者に違和感を与えることのない情報配信が実現できる、という効果を奏する。
【図面の簡単な説明】
【００１５】
【図１】図１は、情報表示システムの一例を示す図である。
【図２】図２は、実施の形態１にかかる情報表示システムの構成例を示す図である。
【図３】図３は、コンテンツサーバで管理するコンテンツ配信管理情報の一例を示す図である。
【図４】図４は、実施の形態１の各ディスプレイが保持しているスケジュールテーブルの一例を示す図である。
【図５】図５は、コンテンツサーバとディスプレイの内部構成例を示す図である。
【図６】図６は、実施の形態２にかかる情報表示システムの構成例を示す図である。
【図７】図７は、実施の形態２のコンテンツサーバで管理する情報の一例を示す図である。
【図８】図８は、実施の形態２のコンテンツサーバで管理する情報の一例を示す図である。
【図９】図９は、コンテンツの表示開始日時を補正する方法を説明するための図である。
【図１０】図１０は、通信網による遅延時間を算出する場合に実行する動作の一例を示す図である。
【図１１】図１１は、実施の形態４にかかる情報表示システムの構成例を示す図である。
【図１２】図１２は、実施の形態４のディスプレイで管理されているスケジュールテーブルの一例を示す図である。
【図１３】図１３は、実施の形態４のコンテンツサーバで管理するコンテンツ配信管理情報の一例を示す図である。
【図１４】図１４は、実施の形態４のコンテンツサーバで管理するコンテンツ配信管理情報の一例を示す図である。
【発明を実施するための形態】
【００１６】
以下に、本発明にかかる情報表示システム、情報コンテンツ配信サーバおよびディスプレイ装置の実施の形態を図面に基づいて詳細に説明する。なお、この実施の形態によりこの発明が限定されるものではない。
【００１７】
まず、各実施の形態で想定している情報表示システムについて説明する。図１は、想定している情報表示システムの一例を示す図である。図中に示される情報表示ディスプレイ（以下、単にディスプレイと記載する）としては、管理者やメーカーが異なるディスプレイを想定しており、また、情報通信網（非同期系ネットワーク）への接続（伝送路など）も異なっている状態を想定している。なお、図１ではディスプレイを３台としているが、何台存在しても良い。また、各ディスプレイへ情報を配信しようとしている配信者（情報コンテンツ配信サーバを利用するオペレータ）も１者ではない場合を想定している（図では２者の場合を示しているが、何者存在しても良い）。
【００１８】
図１に示した情報表示システムにおいて、情報コンテンツ配信サーバ（以下、単にコンテンツサーバと記載する）は、ディスプレイ毎のローカルな時刻（各ディスプレイで管理されているローカル時刻）を定期的に収集する。そして、各ディスプレイの持つ周波数ずれを考慮して、コンテンツ表示開始時における装置間の時刻のずれを推定し、ディスプレイ毎に、ずれを考慮した表示開始日時を設定する事で、時刻同期した表示を実現する。また、ディスプレイ側で、ローカル時刻を手動や自動にて修正する場合など、時刻に不連続が生じる場合には、個別にコンテンツを配信するサーバ側へ通知する事により、時刻推定誤りを未然に修正する事を行う。このように構成することにより、以下の各実施の形態で説明する情報表示システムでは、複数のディスプレイを使用した情報コンテンツ配信の時刻同期制御を実施し、効果的な情報配信が可能となる。
【００１９】
実施の形態１．
図２は、実施の形態１にかかる情報表示システムの構成例を示す図である。図示したように、本実施の形態では、コンテンツサーバを１台、ディスプレイを２台とした場合の例について説明する。なお、コンテンツサーバおよびディスプレイの台数に制限は生じない。コンテンツサーバでは、ディスプレイ＃１（XXビルAAディスプレイ）及びディスプレイ＃２（YYビルBBディスプレイ）と、通信網（図示した非同期系ネットワーク）で接続されているものとする。また、各ディスプレイの基本機能の構成、すなわち、本実施の形態の特徴的な動作を実現するための構成は同一である。
【００２０】
ここでは、19時02分より、1分50秒の情報をそれぞれ異なるディスプレイで同時に表示させる場合の動作例について説明する。図２に記載のコンテンツサーバは、ディスプレイ＃１とディスプレイ＃２に対して、表示開始日時より十分前に、コンテンツおよびこのコンテンツの表示開始時刻を記したスケジュールを、非同期系ネットワークを通じて配信しておく。
【００２１】
図３は、コンテンツサーバで管理する情報の一例を示す図であり、ハッチングを施した部分がここで説明しようとしている動作例に対応する情報である。図３に示した情報は、コンテンツの内容、開始日時、表示時間等を保持しており、その情報配信ＩＤ（図示した配信管理ＩＤに相当）に対応して、配信先と配信先で表示させるコンテンツが対応する形式を取る。時間を管理する仕組みとして、年月日分秒表示でなく、装置の持つ内部カウンタ値のような表現方法であっても良い。図３に示した情報に従って動作する場合、図２中のコンテンツサーバは、ディスプレイ＃１および＃２に対して、19時02分00秒から1分50秒間、コンテンツ「南ノ島旅行」を表示するように指示する。
【００２２】
また、コンテンツサーバと各ディスプレイは、自身が利用している時刻同期方法を非同期系ネットワーク経由でやり取りする。図２に示した例では、各ディスプレイはＧＰＳ（Global  Positioning  System）やＮＴＰ（Network  Time  Protocol）等、高精度な同期方法を通じて定期的に時刻同期を取得して補正する事を実施し、その同期を行っている事を各ディスプレイはコンテンツサーバに通知する。コンテンツサーバも高精度な同期方法を通じて定期的に時刻同期を取得して補正しているので、情報表示システムを構成している各装置（コンテンツサーバおよびディスプレイ）は同期が取れた状態となっている。そのため、コンテンツサーバは、コンテンツの表示を指示する際、開始日時をディスプレイごとに調整する処理は不要と判断し、自身が保持している開始日時をそのまま（調整することなく）、コンテンツ配信管理内容情報に登録されている配信先のディスプレイへ通知する。
【００２３】
図４は、本実施の形態の各ディスプレイが保持しているコンテンツ表示スケジュール情報（スケジュールテーブル）の一例を示す図であり、ハッチングを施した部分がここで説明しようとしている動作例に対応する情報である。図４に示した情報は、コンテンツサーバからコンテンツの表示を指示される際に各ディスプレイが受信したものであり、開始日時、表示時間、およびコンテンツＩＤを含んでいる。図示したように、各ディスプレイは、精度の高い時刻同期を実現し、また、その精度の高い時刻同期を行っている事をコンテンツサーバに通知する事で、複数のディスプレイを用いた情報配信を安心して運用する（同期が維持された状態で情報配信を行う）。図４に示したスケジュールテーブルに従って動作する場合、ディスプレイ＃１は、自装置内で管理している時刻（ローカル時刻）の19時02分00秒から1分50秒間、コンテンツＩＤが7HC58D30のコンテンツを表示し、ディスプレイ＃２は、自装置内で管理している時刻（ローカル時刻）の19時02分00秒から1分50秒間、コンテンツＩＤが7HC58D31のコンテンツを表示する。図２に示したように、ディスプレイ＃１および＃２のローカル時刻にずれは生じていないといえる（通常の視聴者では認識できない程度のごく僅かなずれしか存在しない）ので、ディスプレイ＃１および＃２では、指定されたコンテンツが同時に表示される。
【００２４】
なお、図３や図４で示した管理情報は、開始時刻や表示時間を管理するためのテーブルであるが、表示回数をテーブルで持つようにしたり、配信実行の成功失敗等の情報をディスプレイからコンテンツサーバに戻してこの情報をテーブルで持つようにしたりするなどしても良い。
【００２５】
図５は、図２に示したコンテンツサーバとディスプレイの内部構成例を示す図である。
【００２６】
図示したように、本実施の形態の情報表示システムは、コンテンツサーバ１と、コンテンツを表示するディスプレイ２と、インターネットや無線通信等で構成される非同期系ネットワークである情報通信網３とにより構成される。説明を簡単化するため、図５では、コンテンツサーバ１とディスプレイ２を１台としているが、既に説明したように、システム上、コンテンツサーバ１と同様のサーバが１以上何台存在しても良く、また、ディスプレイ２と同様の装置が１以上何台存在しても良い。
【００２７】
コンテンツサーバ１は、入出力部１１、制御部１２および通信部１３からなり、入出力部１１は、コンテンツ配信を管理するオペレータに対して情報の表示を行うモニタ等の外部出力や、オペレータからのキーボードやマウス等による入力を行うための表示及び入出力Ｉ／Ｆ部１１１を備える。また、制御部１２は、コンテンツ配信に係わる情報へアクセスするためのコンテンツ配信管理Ｉ／Ｆ部１２１と、コンテンツの作成や編集及び保持を行うコンテンツ作成・保持部１２２と、コンテンツを表示するスケジュールの作成や管理を行うスケジュール作成・管理部１２３と、コンテンツサーバ自身及び配信先のディスプレイのローカル時刻情報を収集及び管理する時刻管理・計算部１２４と、コンテンツ情報、コンテンツ表示スケジュール情報および時刻情報を通信部１３とやり取りするコンテンツ配信情報及び時刻情報振り分け部１２５とを備える。通信部１３は、コンテンツ情報やコンテンツ表示スケジュール情報、ローカルの時刻情報を通信網とやり取りする通信Ｉ／Ｆ部１３１を備える。なお、スケジュール作成・管理部１２３がスケジュール決定手段を、時刻管理・計算部１２４が情報収集手段を、コンテンツ配信情報及び時刻情報振り分け部１２５がコンテンツ配信手段を、それぞれ構成する。
【００２８】
ディスプレイ２は、通信部２１、制御部２２および表示部２３を備え、通信部２１は、コンテンツ情報やコンテンツ表示スケジュール情報、ローカルの時刻情報を通信網とやり取りする通信Ｉ／Ｆ部２１１を備える。また、制御部２２は、コンテンツ情報、コンテンツ表示スケジュール情報および時刻情報を通信部２１とやり取りするコンテンツ配信情報及び時刻情報振り分け部２２１と、通信部２１側から受け取ったコンテンツを保持しておくコンテンツ保持部２２２と、コンテンツ保持部２２２で保持しているコンテンツの表示スケジュール（コンテンツ表示スケジュール情報）を管理するスケジュール管理部２２３と、ディスプレイ自身の時刻（ローカル時刻）を管理する時刻管理部２２４と、表示スケジュールに従い、開始時刻となると表示部２３を制御してコンテンツを表示させるコンテンツ表示管理Ｉ／Ｆ部２２５とを備える。表示部２３は、制御部２２の指示に従ってコンテンツを表示する表示処理部２３１を備える。
【００２９】
以下、図５に示したコンテンツサーバ１およびディスプレイ２の動作例について説明する。ここでは、コンテンツサーバ１およびディスプレイ２が、図２に示したコンテンツサーバおよび各ディスプレイ（ディスプレイ＃１，＃２）として動作する場合について説明する。
【００３０】
ディスプレイ２の時刻管理部２２４は、ＧＰＳまたはＮＴＰ等の高精度な時刻同期確立手段を有しており、高精度な時刻同期確立手段を有している事を、コンテンツ配信情報及び時刻情報振り分け部２２１および通信Ｉ／Ｆ部２１１を介してコンテンツサーバ１へ通知する。より詳細には、この通知はコンテンツサーバ１の制御部１２を構成している時刻管理・計算部１２４へ通知される。また、この通知内容は、コンテンツ配信管理部Ｉ／Ｆ部１２１を介して入出力部１１の表示及び入出力Ｉ／Ｆ部１１１へ表示され、オペレータは、表示及び入出力Ｉ／Ｆ部１１１への表示内容を確認することにより、ディスプレイ２において高精度な時刻同期確立が成立している事、および成立手段を認識する。このとき、スケジュール作成・管理部１２３に対しても、時刻管理・計算部１２４から時刻同期が確立されている情報（ディスプレイ２の時刻管理部２２４からの通知内容）が出力され、この情報が共有される。なお、ディスプレイ２の時刻管理部２２４が上記通知を行うタイミングについては特に規定しない。コンテンツサーバ１から要求されたときに通知してもよいし、動作開始時に自ら通知するようにしてもよい。また、定期的に通知するようにしてもよい。
【００３１】
また、入出力部１１がオペレータから情報を取得した場合、すなわち、情報表示システムで表示させるコンテンツについての情報（より詳細には、コンテンツの表示開始時刻、表示時間（表示継続時間）、表示するコンテンツの内容、表示先（配信先）とするディスプレイなどの情報）を取得した場合、この情報はコンテンツ配信管理Ｉ／Ｆ部１２１を介してスケジュール作成・管理部１２３へ渡される。そして、スケジュール作成・管理部１２３は、ディスプレイ２の時刻管理部２２４からの通知内容（時刻同期確立手段に関する通知）、およびオペレータから取得した情報（表示させるコンテンツについての情報）に基づいて、図３に記載したような情報（コンテンツ配信管理情報）を生成して管理する。
【００３２】
また、スケジュール作成・管理部１２３は、上記の生成した情報（図３参照）に含まれる情報のうち、開始日時、表示時間およびコンテンツＩＤを含んだコンテンツ表示スケジュール情報を生成し、コンテンツの表示開始時間（開始日時）よりも十分前に、生成した情報に含まれている配信先のディスプレイ２（コンテンツＩＤに対応するコンテンツを表示させるディスプレイ２）へ配信する。コンテンツ表示スケジュール情報は、コンテンツを表示させるディスプレイごとに生成する。たとえば、あるコンテンツを３台のディスプレイで表示させる場合、３台分のコンテンツ表示スケジュールを生成する。なお、本実施の形態では、コンテンツサーバ１も高精度な時刻同期手段を有しており、コンテンツサーバ１と各ディスプレイ２は同期がとれた状態で動作している場合を想定しているので、スケジュール作成・管理部１２３は、各ディスプレイ２へ同一の開始日時を通知する（図３に示した開始日時をそのまま通知する）。またこのとき、上記生成した情報に含まれているコンテンツＩＤに対応するコンテンツも配信される。
【００３３】
スケジュール作成・管理部１２３が送信したコンテンツ表示スケジュール情報は、ディスプレイ２のスケジュール管理部２２３へ配信され、スケジュール管理部２２３は、配信された情報を図４に示したスケジュールテーブルに登録して管理する。また、コンテンツは、コンテンツサーバ１のコンテンツ作成・保持部１２２からディスプレイ２のコンテンツ保持部２２２へ配信される。たとえば、スケジュール作成・管理部１２３は、コンテンツ表示スケジュール情報をスケジュール管理部２２３へ配信する場合、送信するコンテンツＩＤおよび配信先のディスプレイ２をコンテンツ作成・保持部１２２へ通知し、コンテンツ作成・保持部１２２は、通知内容に対応するコンテンツをその配信先のディスプレイ２へ配信する。コンテンツサーバ１では、コンテンツ配信情報及び時刻情報振り分け部１２５が、たとえば、スケジュール作成・管理部１２３から出力される配信情報（コンテンツ表示スケジュール情報）、およびコンテンツ作成・保持部１２２から出力される配信情報（コンテンツ）をとりまとめ、１つの配信データとして各ディスプレイ２へ送信する。一方、各ディスプレイ２では、コンテンツ配信情報及び時刻情報振り分け部２２１が、コンテンツサーバ１から受信した配信データに含まれる各情報をコンテンツ保持部２２２とスケジュール管理部２２３へ振り分ける。なお、コンテンツサーバ１のコンテンツ配信情報及び時刻情報振り分け部１２５は、コンテンツ表示スケジュール情報とコンテンツを個別に（とりまとめずに）送信するようにしてもよい。また、コンテンツ表示スケジュール情報に含まれるコンテンツＩＤに対応するコンテンツを過去に配信したことがあるなど、対応するコンテンツをコンテンツ表示スケジュール情報の配信先のディスプレイ２が既に保持している場合、コンテンツ表示スケジュール情報のみを送信すればよい。
【００３４】
ディスプレイ２において、コンテンツ表示管理Ｉ／Ｆ部２２５は、スケジュール管理部２２３で保持されているスケジュールテーブルおよび時刻管理部２２４から得られる時刻情報を確認し、スケジュールテーブルに登録されている開始時刻（コンテンツの表示を開始する時刻）となった場合、対応するコンテンツをコンテンツ保持部２２２から取得し、取得したコンテンツを表示処理部２３１へ表示させる。
【００３５】
このように、本実施の形態の情報表示システムにおいて、コンテンツサーバは、コンテンツを表示させる各ディスプレイから、時刻同期確立手段についての情報を取得し、この取得した情報およびオペレータからの指示内容（表示させるコンテンツの内容、送信開始日時、表示時間および表示先とするディスプレイについての情報）に基づいて、コンテンツを表示させる各ディスプレイに対する指示情報（表示させるコンテンツのＩＤ、表示開始日時および表示時間を含んだコンテンツ表示スケジュール情報）を個別に生成し、各ディスプレイへ配信する。そして、各ディスプレイは、コンテンツサーバから配信された指示情報に従って、コンテンツを表示することとした。これにより、ディスプレイ間における情報コンテンツ表示の時刻同期が実現でき、効果的な情報配信が可能となる。
【００３６】
なお、簡単化のために、コンテンツが視覚情報（映像）のみからなる場合を想定して説明したが、本実施の形態で説明した動作は、音声情報も含んだコンテンツを表示（再生）する場合にも適用できる。また、音声情報のみからなるコンテンツを再生する場合にも適用できる。後述する各実施の形態においても同様である。
【００３７】
実施の形態２．
図６は、実施の形態２にかかる情報表示システムの構成例を示す図である。先の実施の形態１と同様に、本実施の形態においても、コンテンツサーバを１台、ディスプイを２台とした場合の例について説明する。なお、実施の形態１と同様、コンテンツサーバおよびディスプレイの台数に制限は生じない。コンテンツサーバでは、ディスプレイ＃１（XXビルAAディスプレイ）及びディスプレイ＃２（YYビルBBディスプレイ）と、通信網（図示した非同期系ネットワーク）で接続されているものとする。また、各ディスプレイの基本機能の構成、すなわち、本実施の形態の特徴的な動作を実現するための構成は同一である。
【００３８】
本実施の形態では、各ディスプレイで高精度な同期方法による時刻同期が実現できていない場合を想定する。すなわち、コンテンツサーバがコンテンツの表示を指示する際に、通知する開始日時を調整した上で各ディスプレイへ通知する情報表示システムについて説明する。なお、各ディスプレイの構成および動作は実施の形態１と同様である。そのため、説明は省略する。
【００３９】
まず、本実施の形態のコンテンツサーバで管理する情報について説明する。本実施の形態のコンテンツサーバで管理する情報は、実施の形態１で説明したコンテンツサーバで管理していた情報（図３参照）の「時刻管理内容」および「コンテンツ配信管理内容」の各情報を図７および図８に示した情報にそれぞれ置き換えたものである。
【００４０】
本実施の形態の情報表示システムにおいては、装置間で内部に持つクロックの周波数が異なる事から、時間の経過と供に時刻のずれが大きくなってくる。そのため、本実施の形態のコンテンツサーバでは、実施の形態１で説明したコンテンツサーバで管理していた情報（図３参照）に含まれていた「時刻管理内容」を図７に示したものに置き換えた情報を管理する。すなわち、本実施の形態のコンテンツサーバでは、ある特定の時刻における装置間の時刻の差分を把握し、また、時間の経過による差分の広がりを区別する必要があるので、「時刻管理内容」を図７に示したような構成としている。具体的には、左端の「配信先」の列の次の列に、前回取得時における00時00分00秒時点での、ディスプレイの時刻が存在し、この情報は、コンテンツサーバが各ディスプレイから時刻情報を取得した時点における、コンテンツサーバで管理している時刻（基準時刻）と各ディスプレイで管理している時刻（ローカル時刻）との間のずれ（差分）を示している。また、その次の列には、ローカル時刻の情報が次回（２４時間後の00時00分00秒時点）に取得されるまでに生じる差分の想定値が存在している。これら２つの差分情報（以下、前者を第１の差分情報、後者を第２の差分情報と呼ぶ）をテーブルで保持しておくことにより、広告配信時における時刻（コンテンツの表示開始日時）のずれは内挿により補間する事が可能になる。
【００４１】
これらの２つの情報は、例えば、第１の差分情報は、毎日00時00分00秒に、システム内の各ディスプレイから定期的に時刻収集を行うことで取得し、第２の差分情報については、最後に収集した時刻情報と過去に収集した時刻情報とに基づいて算出する。なお、00時00分00秒以外の時間に取得したり不定期に取得したりしても構わない。この場合、前回取得を行った時間間隔を２４時間間隔の場合に補正し、補正後の時刻を第１の差分情報として管理する。
【００４２】
つづいて、コンテンツの表示開始日時を補正する方法について図９を用いて説明する。収集時刻Ｔbasisが、既に時刻収集を終えた時刻を表し、τbasisが、その時点における、サーバとディスプレイにおける時間差を表すものとする。ここで、定期的に収集を行っている場合（周期が一定でない場合は、周期の逆数をかけることで、一定周期と見なす）の収集間隔をΔＴとし、サーバとディスプレイの持つ周波数偏差に起因してΔＴの間に発生する時刻ずれをΔτとする。Δτは、周期的に収集する事で得られたずれの平均等で算出される。コンテンツを実際に表示する表示時刻をＴdispとし、Ｔbasis≦Ｔdisp≦Ｔbasis＋ΔＴを満たす場合、０≦σ≦１として、Ｔdisp＝Ｔbasis＋σ×ΔＴとなる事から、コンテンツを実際に表示する表示時刻における時間差はτdisp＝τbasis+σ×Δτとなる。よって、補正後の時刻（表示開始日時）を求めることができる。なお、Ｔbasis≦Tbasis＋ΔＴ≦Ｔdispの場合には、１≦σとすることにより、時間差τdispを同じ式で求めることができる。
【００４３】
コンテンツサーバは、上記の方法で求めた補正後の表示開始日時をテーブルに登録して管理する。具体的には、図８に示した「コンテンツ配信管理内容」を管理する。図８の「コンテンツ配信管理内容」に含まれる「ローカル開始日時」が上記の方法で求めた補正後の表示開始日時である。そして、コンテンツサーバは、コンテンツの表示開始時刻を記したスケジュール（コンテンツ表示スケジュール情報）を配信する場合、「ローカル開始日時」に登録された各時刻を配信先とされている各ディスプレイに通知する。これにより、図６のように、各装置で持つ時刻が異なる場合（装置間で時刻の同期が取れていない場合）においても同期したコンテンツ表示を実現できる。
【００４４】
また、ディスプレイ側で、自動または手動にて、定期的または不定期に時刻更新が行われるようにされており、なおかつ予め時刻の更新日時が決まっている場合には、図７の右側２列に示したように、時刻同期予定の有無情報、および次回の時刻同期予定時刻をディスプレイごとに記憶しておき、更新が起きる事を想定して情報配信開始時刻を設定するようにしてもよい。具体的には、更新日時（図７に示した「次回時刻同期予定時刻」に相当）までに表示されるコンテンツは、上記の図９を使用して説明した算出式に従って、ローカル開始日時（図７参照）を計算する。また、新規にＴbasisとし、τbasis＝０で更新し、Δτは以前の値を用いる事で、更新日時以降に表示させるコンテンツのローカル開始日時が計算できる。
【００４５】
予め更新日時が決まっておらず、ディスプレイの管理者が手動にて設定を変える場合や、動作不具合による電源再起動等が突然生じる場合には、通信網を通じて、ディスプレイに上書きされた時刻を通知する事で実現する。その場合には、時間間隔ΔＴと供に生じる時刻差分は、前回までに保持されていた情報を使い、システムの運用と供に精度を上げていく手法を取るようにしても良い。
【００４６】
また、通信網における遅延量を、時刻精度向上のために算出しても良い。具体的には、ＮＴＰプロトコル（文献「ＩＥＴＦ−ＲＦＣ１３０５」の３.４.４節に記載）と同様に、図１０に記載のように、相互にデータのやり取りを行い、コンテンツサーバでは、次式に従って、通信網による遅延時間（ΔＴN2＋ΔＴN1）を算出する。
（ΔＴN2＋ΔＴN1）＝Ｔs2−Ｔd2＋Ｔd1−Ｔs1
【００４７】
そして、上記算出したコンテンツサーバと各ディスプレイとの間の遅延時間（信号の伝送遅延時間）を用いて、コンテンツサーバは管理している情報（時刻に関する情報）を補正する。
【００４８】
つづいて、コンテンツサーバの構成および各構成要素の動作について説明する。まず、コンテンツサーバの構成は実施の形態１と同様である（図５参照）。以下、各構成要素の動作について、図５を参照しながら説明する。ただし、実施の形態１で説明したコンテンツサーバと同じ動作を行う構成要素については説明を省略する。
【００４９】
コンテンツサーバ１において、時刻管理・計算部１２４は、定期または不定期に、各ディスプレイ２の時刻管理部２２４から時刻情報（ディスプレイのローカル時刻の情報）を取得する。そして、時刻管理・計算部１２４は、取得した時刻情報に基づいて、自身（コンテンツサーバ１）で管理している時間と各ディスプレイで管理されている時間の差（時間差）及び周波数偏差を算出し、これらの算出した情報を取得した時刻情報とともに保持しておく。
【００５０】
スケジュール作成・管理部１２３は、時刻管理・計算部１２４が算出した上記の情報（時間差，周波数偏差）、に基づいて、表示させるコンテンツに関する情報やその表示開始時刻（開始日時）、表示させるディスプレイの情報（配信先）などを含んだテーブル（図３に示した情報のうち「コンテンツ配信管理内容」および「時刻管理内容」を図７，図８に示したものに置き換えたもの）を更新し、管理する。また、管理しているテーブルに含まれる情報のうち、ローカル開始日時、表示時間およびコンテンツＩＤを含んだ、コンテンツ表示スケジュール情報を生成し、コンテンツの表示開始時間（ローカル開始日時）より十分前に、生成した情報に含まれている配信先のディスプレイ２（コンテンツＩＤに対応するコンテンツを表示させるディスプレイ２）へ配信する。
【００５１】
上記の周波数偏差は、ある一定時間が経過した場合に、コンテンツサーバにおけるローカル時刻とディスプレイにおけるローカル時刻の差がどの程度変動するかを算出可能な情報であれば他のどのような情報に置き換えてもよい。スケジュール作成・管理部１２３は、最後に算出した時間差（最新の時間差情報）とそれ以前に算出した時間差がわかれば、ある時刻における差分（自装置で管理している基準時刻とディスプレイのローカル時刻との差分）が算出できるので、基準時刻（時刻管理・計算部１２４で管理されている時刻）およびこの時刻における時間差（基準時刻とディスプレイのローカル時刻の差分）を取得するようにしてもよい。
【００５２】
このように、本実施の形態の情報表示システムにおいて、コンテンツサーバは、コンテンツを表示させる各ディスプレイから、管理されている時刻（ローカル時刻）の情報を取得し、この取得した情報およびオペレータからの指示内容（表示させるコンテンツの内容、送信開始日時、表示時間および表示先とするディスプレイについての情報）に基づいて、コンテンツを表示させる各ディスプレイに対する指示情報（表示させるコンテンツのＩＤ、表示開始日時であるローカル開始日時および表示時間を含んだ情報コンテンツ表示スケジュール情報）を個別に生成し、各ディスプレイへ配信する。そして、各ディスプレイは、コンテンツサーバから配信された指示情報に従って、コンテンツを表示することとした。これにより、ディスプレイが高精度な同期方法による時刻同期が実現できていない場合、すなわち、コンテンツサーバとの間で時刻同期が取れていないディスプレイでコンテンツを表示させる場合においても、ディスプレイ間における情報コンテンツ表示の時刻同期が実現でき、効果的な情報配信が可能となる。
【００５３】
なお、本実施の形態では、すべてのディスプレイで高精度な同期方法による時刻同期が実現できていない場合を想定して説明を行ったが、一部、またはすべてのディスプレイで高精度な同期方法による時刻同期ができている場合であっても、同様の装置構成及び制御動作を適用できる。高精度な同期方法による時刻同期ができているディスプレイ（コンテンツサーバと時刻の同期がとれているディスプレイ）については、図７に示した時刻管理内容に含まれる時刻差分がゼロ（00分00秒000）となる。
【００５４】
実施の形態３．
先の実施の形態２では、コンテンツサーバとディスプレイの時刻差をコンテンツサーバにて演算し、コンテンツ開始時刻をディスプレイごとに修正して配信する情報表示システムについて説明したが、本実施の形態では、コンテンツサーバはコンテンツ開始時刻を修正せずに、時刻ずれ情報と供に配信し、ディスプレイ側にて開始時刻を修正してコンテンツを表示する情報表示システムについて説明する。なお、本実施の形態のコンテンツサーバおよびディスプレイの構成は、実施の形態１，２と同様である（図５参照）。
【００５５】
本実施の形態の情報表示システムを適用した場合、ディスプレイの管理者等の係わる人にコンテンツ開始時刻が分かりやすいという長所を生じ、高精度な時刻同期を有していない場合、ディスプレイは、時刻ずれ情報を参照して表示を開始すれば良いという長所を持つ。
【００５６】
また、ディスプレイの持つローカルな時刻をコンテンツサーバ側から通知される時刻ずれ情報で修正が可能な場合、ディスプレイは、修正を行うとともに修正した事（コンテンツサーバとの間の時刻ずれをキャンセルしたこと）をコンテンツサーバへ通知しても良い。
【００５７】
本実施の形態のコンテンツサーバおよびディスプレイの動作について、装置構成図（図５）を参照しながら説明する。なお、実施の形態２のコンテンツサーバおよびディスプレイと異なる部分についてのみ説明する。
【００５８】
コンテンツサーバ１において、スケジュール作成・管理部１２３は、時刻管理・計算部１２４がディスプレイから取得した時刻情報、およびこれに基づき算出した情報（時間差，周波数偏差）に基づいて、表示させるコンテンツやその表示時刻（表示開始時刻）、表示させるディスプレイの情報などを含んだテーブルを更新し、管理する。このテーブルは、実施の形態２のスケジュール作成・管理部１２３が管理していたテーブルと同様のものである。そして、本実施の形態のコンテンツサーバは、コンテンツ作成・保持部１２２で保持しているコンテンツをディスプレイに配信する場合、スケジュール作成・管理部１２３で管理している情報のうち、開始時刻（コンテンツの表示開始日時）、ディスプレイごとの時間のずれ情報（コンテンツ表示開始時における時刻のずれ情報）、表示時間およびコンテンツＩＤを、コンテンツの表示開始日時より十分前に、対応するディスプレイ２に配信する。
【００５９】
本実施の形態のディスプレイ２において、スケジュール管理部２２３は、コンテンツサーバ１のスケジュール作成・管理部１２３から配信された情報（コンテンツ表示開始日時，ディスプレイごとの時間のずれ情報，表示時間，コンテンツＩＤ）を取得する。また、取得した時間のずれ情報でコンテンツ表示開始日時を調整し、調整後のコンテンツ表示開始日時を開始日時情報として、上記取得した表示時間およびコンテンツＩＤとともにスケジュールテーブル（図４参照）へ登録して管理しておく。コンテンツ表示管理Ｉ／Ｆ部２２５は、スケジュール管理部２２３で保持されているスケジュールテーブルおよび時刻管理部２２４から得られる時刻情報を確認し、スケジュールテーブルに登録されている開始時刻（コンテンツの表示を開始する時刻）となった場合、対応するコンテンツをコンテンツ保持部２２２から取得し、取得したコンテンツを表示処理部２３１へ表示させる。
【００６０】
このように、本実施の形態の情報表示システムにおいて、コンテンツサーバは、コンテンツを表示させる各ディスプレイから、管理されている時刻（ローカル時刻）の情報を取得し、この取得した情報およびオペレータからの指示内容（表示させるコンテンツの内容、送信開始日時、表示時間および表示先とするディスプレイについての情報）に基づいて、コンテンツを表示させる各ディスプレイに対する指示情報（表示させるコンテンツのＩＤ、表示開始日時、時刻ずれ情報および表示時間を含んだ情報）を個別に生成し、各ディスプレイへ配信する。そして、各ディスプレイは、コンテンツサーバから配信された指示情報に従って、コンテンツを表示することとした。これにより、実施の形態２の情報表示システムと同様の効果を得ることができる。
【００６１】
なお、各ディスプレイでは、スケジュール管理部２２３と時刻管理部２２４がコンテンツサーバから配信された時刻ずれ情報を共有し、時刻管理部２２４の内部時刻（ローカル時刻）を修正する操作を行い、時刻管理部２２４は、ローカル時刻を修正したことをコンテンツサーバの時刻管理・計算部１２４に通知するようにしても良い。複数のコンテンツサーバが存在する場合、通知は１台のコンテンツサーバに対して行ってもよいし、接続する全てのコンテンツサーバに対して通知を行ってもよい。１台のコンテンツサーバのみに通知するなど、一部のコンテンツサーバにのみ通知する場合、各コンテンツサーバは連携を行い、ディスプレイでローカル時刻が修正されたことを全てのコンテンツサーバが認識する。
【００６２】
実施の形態４．
先の実施の形態１〜３では、システム内のコンテンツサーバが１台の場合を想定して説明を行ったが、本実施の形態では、コンテンツサーバが２台存在する場合について説明する。
【００６３】
図１１は、実施の形態４にかかる情報表示システムの構成例を示す図である。図示したように、本実施の形態では、コンテンツサーバを複数（ここでは２台とする）備えた場合の例について説明する。なお、各コンテンツサーバおよびディスプレイの構成は、実施の形態１と同様である（図５参照）。
【００６４】
ディスプレイ＃１（XXビルAAディスプレイ）にコンテンツサーバ＃１及びコンテンツサーバ＃２の双方からコンテンツが配信されて表示スケジュールが組まれる場合を想定する。ここで、コンテンツサーバ＃１は高精度な同期方法による時刻同期（絶対時刻同期）が実現できており、他の装置（コンテンツサーバ＃２，ディスプレイ＃１）は高精度な同期方法による時刻同期が実現できていないものとする。すなわち、図１１に示した装置間では時刻同期が取れていないものとする。
【００６５】
図１２は、ディスプレイ＃１で管理されているスケジュールテーブル（コンテンツ表示スケジュール情報）の一例を示す図である。このスケジュールテーブルに従った場合、情報表示システム内の装置全ての時刻同期が理想的に取られている（各装置で管理している時刻にずれが生じていない）のであれば、ディスプレイ＃１は、19時02分00秒から1分50秒間、コンテンツサーバ＃１から配信されたコンテンツを表示し、19時00分00秒、19時01分00秒、19時04分00秒および19時05分00秒からそれぞれ45秒間、コンテンツサーバ＃２から配信されたコンテンツを問題なく表示する。しかし、装置間で時刻同期が取れていない場合には、以下に示すような問題が生じる。
【００６６】
装置間で同期が取れていない場合の問題説明を簡単化するため、図１１で示したように、コンテンツサーバ＃１の時刻は正確であり、これに対してコンテンツサーバ＃２の時刻は２分遅れた状態、ディスプレイ＃１は３分進んだ状態にあるものとする。ただし、周波数偏差による時刻のずれ（時間経過に伴うずれ量の変動）は無いものとする。コンテンツサーバ＃２の時刻がずれている原因としては、たとえば時刻の設定ミスや時刻調整機能の故障が考えられる。
【００６７】
コンテンツサーバ＃１は、実施の形態２で示した方法により、ディスプレイ＃１のローカル時刻が３分進んでいると推定し、図１３に示したように、ディスプレイ＃１に対するコンテンツ配信管理情報の開始時刻を３分進ませてスケジュール（情報コンテンツ表示スケジュール情報）を配信する。同様に、コンテンツサーバ＃２は、ディスプレイ＃１のローカル時刻が５分進んでいると推定し、図１４に示したように、コンテンツ配信管理情報の開始時刻を５分進ませてスケジュールを配信する。その結果、ディスプレイ＃１では、同一時刻に２つのスケジュールが組まれる事になる。
【００６８】
そこで、本実施の形態のディスプレイは、上記のような、コンテンツサーバ間で時刻同期が取れていないことに起因して発生する問題、すなわち、複数のコンテンツ表示が同一時刻に重なる事（コンテンツ表示の衝突）を検知し、ディスプレイの管理者とコンテンツサーバの管理者に通知する。もちろん、開始時刻が重なった場合のみならず、コンテンツの表示が終了する前に次のコンテンツの開始時刻となってしまうような場合も検知する。これにより、コンテンツの全部または一部が消失する事を防ぐ事が出来る。また、通知するだけでなく、事前にコンテンツサーバ間に優先順位が設けられている時は、開始時刻となると優先順位の高いものを表示するなどしても良い。さらに、優先順位が決まっていない場合には、先着順や後からの情報を上書きしても良く、障害扱いとして特定の映像を再生するなど特別な処理を行っても良い。また、コンテンツサーバに衝突の情報を戻す以外にも、決められたメールアドレスや電話番号にアラームを上げる処理を行っても良い。
【００６９】
本実施の形態のコンテンツサーバおよびディスプレイの動作について、装置構成図（図５）を参照しながら説明する。なお、実施の形態２のコンテンツサーバおよびディスプレイと異なる部分についてのみ説明する。
【００７０】
本実施の形態のディスプレイ２において、スケジュール管理部２２３は、各コンテンツサーバ１のスケジュール作成・管理部１２３から配信された情報（コンテンツ表示開始日時，ディスプレイごとの時間のずれ情報，表示時間，コンテンツＩＤ）を取得する。また、取得した情報をスケジュールテーブル（図４参照）に登録して管理する。またこのとき、スケジュール管理部２２３は、スケジュールテーブルに登録された各コンテンツの表示時刻が重複していないかどうか確認する。すなわち、新たに登録する情報に対応するコンテンツの表示を開始してから終了するまでの期間が、他のコンテンツの表示開始から表示終了までの期間と重複（一部重複も含む）していないかどうか確認する。そして、重複を検出した場合、重複が生じているコンテンツの配信元のサーバに対して、検出結果を通知する。その後、重複した状態が解消されることなく表示開始時刻となった場合、ディスプレイ２では、衝突時のスケジュール実行手順を実施する。
【００７１】
コンテンツ表示の重複検出通知をディスプレイ２から受けた場合、コンテンツサーバ１では、スケジュール作成・管理部１２３が、コンテンツ配信管理Ｉ／Ｆ部１２１を介して表示及び入出力Ｉ／Ｆ部１１１へ指示を行い、表示及び入出力Ｉ／Ｆ部１１１は、指示に従って、衝突が生じていることを外部（オペレータ）へ通知する。
【００７２】
このように、本実施の形態の情報表示システムにおいて、ディスプレイは、実施の形態２の情報表示システムを構成するディスプレイと同等の機能、およびコンテンツ表示の衝突を検出する機能を備え、衝突を検出した場合には、検出内容をコンテンツサーバへ通知することとした。これにより、実施の形態２で説明した情報表示システムと同様の効果が得られるとともに、衝突によりコンテンツの全部または一部を消失してしまうのを防止できる。
【００７３】
なお、本実施の形態では、実施の形態２で説明した情報表示システムのディスプレイがコンテンツ表示の衝突検出機能を備える場合について説明を行ったが、実施の形態３で説明した情報表示システムのディスプレイがコンテンツ表示の衝突検出機能を備えるようにしてもよい。
【産業上の利用可能性】
【００７４】
以上のように、本発明にかかる情報表示システムは、情報を表示する表示装置（ディスプレイ）、および表示装置で表示させるコンテンツを管理するコンテンツサーバからなる情報表示システムとして有用であり、特に、各表示装置と各コンテンツサーバが個別に時刻管理を行うように構成された情報表示システムに適している。
【符号の説明】
【００７５】
１  コンテンツサーバ（情報コンテンツ配信サーバ）
２  ディスプレイ
３  情報通信網
１１  入出力部
１２，２２  制御部
１３，２１  通信部
２３  表示部
１１１  表示及び入出力Ｉ／Ｆ部
１２１  コンテンツ配信管理Ｉ／Ｆ部
１２２  コンテンツ作成・保持部
１２３  スケジュール作成・管理部
１２４  時刻管理・計算部
１２５，２２１  コンテンツ配信情報及び時刻情報振り分け部
１３１，２１１  通信Ｉ／Ｆ部
２２２  コンテンツ保持部
２２３  スケジュール管理部
２２４  時刻管理部
２２５  コンテンツ表示管理Ｉ／Ｆ部
２３１  表示処理部
【図１】
0005436311.tif 000002
【図２】
0005436311.tif 000003
【図３】
0005436311.tif 000004
【図４】
0005436311.tif 000005
【図５】
0005436311.tif 000006
【図６】
0005436311.tif 000007
【図７】
0005436311.tif 000008
【図８】
0005436311.tif 000009
【図９】
0005436311.tif 000010
【図１０】
0005436311.tif 000011
【図１１】
0005436311.tif 000012
【図１２】
0005436311.tif 000013
【図１３】
0005436311.tif 000014
【図１４】
0005436311.tif 000015